(57)【要約】      （修正有）【課題】接地線に接続されなくてもトラッキング現象による火災の発生を抑制できる配線器具を提供する。【解決手段】配線器具１０は、電源を供給するコンセント１２に差し込まれる差し込みプラグ部１４と、差し込みプラグ部１４を介して外部の電気機器に電源を供給する電源供給端子部２０ａ、２０ｂと、電源供給端子部２０ａ、２０ｂの周囲に配置された第１の導電体２２ａ、２２ｂと、を備えた配線器具であって、第１の導電体２２ａ、２２ｂに電流が流れると電源を遮断する遮断部を備える。【選択図】図１
0003201062.tif 000002
【実用新案登録請求の範囲】
【請求項１】
電源を供給するコンセントに差し込まれる差し込みプラグ部と、
前記差し込みプラグ部を介して、電気機器に前記電源を供給する電源供給端子部と、
前記電源供給端子部にて発生したトラッキング現象による電流が流れる第１の導電体と、を備え、接地線に未接続となっている配線器具であって、
コイル部及び該コイル部に電流が流れると開いた状態が維持される接点を有する遮断部を備え、
前記コイル部の一方の側が前記差し込みプラグ部の一方の刃に接続されるとともに、該コイル部の他方の側が前記第１の導電体に接続され、
前記接点の一方の側が前記差し込みプラグ部の他方の刃に接続されるとともに、該接点の他方の側が前記電源供給端子部の一方の端子に接続され、
前記差し込みプラグ部の一方の刃が前記電源供給端子部の他方の端子に接続されている配線器具。
【請求項２】
請求項１記載の配線器具において、
前記差し込みプラグ部にて発生したトラッキング現象による電流が流れる第２の導電体を更に備え、
前記第２の導電体が前記コイル部の他方の側に接続されている配線器具。
【請求項３】
請求項１又は２記載の配線器具において、
前記電気機器の接地線が接続される接地端子部を更に備え、
前記接地端子部が前記第１の導電体に接続されている配線器具。
【請求項４】
請求項３記載の配線器具において、
前記遮断部が、前記接点を開閉するための操作部を有する配線器具。
【考案の詳細な説明】
【技術分野】
【０００１】
本考案は、配線器具に関する。
【背景技術】
【０００２】
特許文献１には、電源プラグ差込部間あるいは電源プラグの両端子刃間にほこりなどが堆積した場合のみならず、電源プラグ差込部や電源プラグの両端子刃の周囲から特に電源プラグ本体の側面やコンセント側面に堆積した場合にも、高い信頼性をもって機能し得るトラッキング火災防止コンセントと電源プラグが記載されている。
このトラッキング火災防止コンセントは、電源プラグ端子刃が突設される電源プラグのプラグ面と当接するコンセント表面に穿設された一対の電源プラグ差込部の中間に設けられた第一の導電体と、この第一の導電体に接続され、コンセント表面の周囲に形成されるコンセント側面に設けられた第二の導電体と、この第二の導電体あるいは第一の導電体に接続されたアース線とを有することを特徴としている。
【先行技術文献】
【特許文献】
【０００３】
【特許文献１】特許第３５４１１８７号公報
【考案の概要】
【考案が解決しようとする課題】
【０００４】
ここで一般に、トラッキング現象による火災を抑制する配線器具は、接地線に接続され、接地線にトラッキング現象により発生した電流を流し、漏電ブレーカを動作させることで電源を遮断している。
本考案は、接地線に接続されなくてもトラッキング現象により火災が発生する可能性を低減できる配線器具を提供することを目的とする。
【課題を解決するための手段】
【０００５】
前記目的に沿う本考案に係る配線器具は、電源を供給するコンセントに差し込まれる差し込みプラグ部と、
前記差し込みプラグ部を介して、電気機器に前記電源を供給する電源供給端子部と、
前記電源供給端子部にて発生したトラッキング現象による電流が流れる第１の導電体と、を備え、接地線に未接続となっている配線器具であって、
コイル部及び該コイル部に電流が流れると開いた状態が維持される接点を有する遮断部を備え、
前記コイル部の一方の側が前記差し込みプラグ部の一方の刃に接続されるとともに、該コイル部の他方の側が前記第１の導電体に接続され、
前記接点の一方の側が前記差し込みプラグ部の他方の刃に接続されるとともに、該接点の他方の側が前記電源供給端子部の一方の端子に接続され、
前記差し込みプラグ部の一方の刃が前記電源供給端子部の他方の端子に接続されている。
【０００６】
本考案に係る配線器具において、
前記差し込みプラグ部にて発生したトラッキング現象による電流が流れる第２の導電体を更に備え、
前記第２の導電体が前記コイル部の他方の側に接続されていることが好ましい。
【０００７】
本考案に係る配線器具において、
前記電気機器の接地線が接続される接地端子部を更に備え、
前記接地端子部が前記第１の導電体に接続されていることが好ましい。
【０００８】
本考案に係る配線器具において、
前記遮断部が、前記接点を開閉するための操作部を有することが好ましい。
【考案の効果】
【０００９】
本考案によれば、接地線に接続されなくてもトラッキング現象により火災が発生する可能性を低減できる配線器具を提供することができる。
【図面の簡単な説明】
【００１０】
【図１】本考案の第１の実施の形態に係る配線器具の外観図である。
【図２Ａ】同配線器具の内部の電気的な接続状態を示す回路図である。
【図２Ｂ】同配線器具の動作を示す回路図である。
【図３】本考案の第２の実施の形態に係る配線器具の外観図である。
【図４Ａ】同配線器具の内部の電気的な接続状態を示す回路図である。
【図４Ｂ】同配線器具の動作を示す回路図である。
【考案を実施するための形態】
【００１１】
続いて、添付した図面を参照しつつ、本考案を具体化した実施の形態につき説明し、本考案の理解に供する。なお、図において、説明に関連しない部分は図示を省略する場合がある。
【００１２】
＜第１の実施の形態＞
本考案の第１の実施の形態に係る配線器具１０は、図１に示すように、例えば壁面に設置された電源を供給するコンセント１２に取り付けられる。なお、電源は、例えば１００Ｖの単相交流電源である。
配線器具１０は、差し込みプラグ部１４、差し込みプラグ部１４の基部の周囲に配置された金属枠１６、電源供給端子部２０ａ、２０ｂ、それぞれ電源供給端子部２０ａ、２０ｂの周囲に配置された金属枠２２ａ、２２ｂ、及び直方体状のケース２４に収められたサーキットプロテクタ２６（図２Ａ参照）を備えている。
【００１３】
差し込みプラグ部１４は、図１に示すように、ケース２４の背面から突出する１組の刃１４ａ、１４ｂを有している。差し込みプラグ部１４は、コンセント１２に差し込まれる。なお、差し込みプラグ部１４の下方にてケース２４の背面から突出する１組の突起２８は、ダミーのプラグ部である。ダミーのプラグ部が、差し込みプラグ部１４とともにコンセント１２に差し込まれることにより、差し込みプラグ部１４のみがコンセント１２に差し込まれる場合と比較して、配線器具１０がより安定して支持される。
【００１４】
金属枠（第２の導電体の一例）１６は、配線器具１０の背面側（刃１４ａ、１４ｂの先端側）から見て、差し込みプラグ部の各刃１４ａ、１４ｂの基部の周囲を取り囲んでケース２４の表面に設けられる。詳細には、金属枠１６は、配線器具１０の背面側から見ると外形が矩形状の枠体であり、一方の辺（上側の辺）の中央部から対向する辺（下側の辺）の中央部へと延びる部分が設けられていることにより、刃１４ａ、１４ｂに対応する位置に、それぞれ矩形状の孔が形成されている。
金属枠１６は、図２Ａに示すように、金属枠２２ａ、２２ｂに電気的に接続されている。
【００１５】
電源供給端子部２０ａ、２０ｂは、図１に示すように、ケース２４の前面にて、上下方向に並んで２箇所配置されている。電源供給端子部２０ａ、２０ｂの端子Ｔ１は、図２Ａに示すように、それぞれ、サーキットプロテクタ２６を介して、差し込みプラグ部１４の刃１４ａに電気的に接続されている。電源供給端子部２０ａ、２０ｂの端子Ｔ２は、それぞれ、差し込みプラグ部１４の刃１４ｂに電気的に接続されている。各電源供給端子部２０ａ、２０ｂには、外部の電気機器（不図示）の電源プラグが挿入され、この電気機器に電源を供給できる。
【００１６】
金属枠（第１の導電体の一例）２２ａ、２２ｂは、図１に示すように、配線器具１０の前面側（電源供給端子部２０ａ、２０ｂの正面側）から見て、それぞれ電源供給端子部２０ａ、２０ｂの各穴（電源プラグの刃が挿入される穴）の周囲を取り囲むようにケース２４の表面に配置されている。詳細には、金属枠２２ａ、２２ｂは、それぞれ、配線器具１０の前面側から見ると外形が矩形状の枠体であり、一方の辺（上側の辺）の中央部から対向する辺（下側の辺）の中央部へと延びる部分が設けられていることにより、端子Ｔ１、Ｔ２に対応する位置に、それぞれ矩形状の孔が形成されている。
各金属枠２２ａ、２２ｂは、図２Ａに示すように、互いに電気的に接続されている。
【００１７】
サーキットプロテクタ（遮断部の一例）２６は、ケース２４に内蔵されている。サーキットプロテクタ２６は、コイル部２６２及び接点２６４を有している。
コイル部２６２の一方の側は、差し込みプラグ部１４の一方の刃１４ｂに接続されている。コイル部２６２の他方の側は、金属枠１６及び金属枠２２ａに接続されている。
【００１８】
接点２６４の一方の側は、差し込みプラグ部１４の他方の刃１４ａに接続されている。接点２６４の他方の側は、電源供給端子部２０ａの一方の端子Ｔ１に接続されている。
接点２６４は、コイル部２６２に電流が流れると開いた状態が維持され、各端子Ｔ１に供給される電源が遮断される。
なお、サーキットプロテクタ２６は、図１に示すように、接点２６４の開閉状態に連動して移動（動作）する操作ハンドル（操作部の一例）２６６を有している。ユーザは、この操作ハンドル２６６を操作することによって、接点を開閉できる。
【００１９】
次に、配線器具１０の動作について説明する。
電源供給端子部２０ａに電気機器の電源プラグが接続され、配線器具１０が電源を供給している状態において、何らかの原因によりトラッキング現象が発生すると、図２Ｂの矢印で示すように、電源供給端子部２０ａの端子Ｔ１から端子Ｔ２へと流れようとする電流は、金属枠２２ａを通ってサーキットプロテクタ２６のコイル部２６２に流れる。コイル部２６２に電流が流れると、接点２６４が開き、電源が遮断される。
なお、その際、サーキットプロテクタ２６の操作ハンドル２６６（図１参照）が動作するので、ユーザは発生したトラッキング現象の原因を取り除き、操作ハンドル２６６操作して接点２６４を閉じるだけで、配線器具１０を容易に復帰できる。
【００２０】
配線器具１０は、差し込みプラグ部１４の基部にも金属枠１６を備えているので、差し込みプラグ部１４にてトラッキング現象が発生した場合には、トラッキング現象による電流は、例えば、金属枠１６を通ってサーキットプロテクタ２６のコイル部２６２に流れる。すなわち、差し込みプラグ部１４にてトラッキング現象が発生し、金属枠１６に電流が流れた場合であっても、電源が遮断される。
【００２１】
従って、配線器具１０を使用することによって、配線器具１０が接地線に接続されなくてもトラッキングにより火災が発生する可能性が低減される。
また、配線器具１０によれば、トラッキング現象が発生しても、従来のように漏電ブレーカが動作しないので、配線器具１０に接続されていない電機機器の電源までもが遮断されることが防止される。
更に、複数箇所にて配線器具１０を使用した場合において、ユーザが操作ハンドル２６６の位置を確認することによって、電源が遮断された配線器具１０を容易に特定することができる。
【００２２】
＜第２の実施の形態＞
続いて、本考案の第２の実施の形態に係る配線器具５０について説明する。第１の実施の形態に係る配線器具１０と同一の構成要素については、同じ符号を付して詳しい説明を省略する。
【００２３】
配線器具５０には、外部の電気機器の接地極付き差し込みプラグ（３極の電源プラグ）が挿入される。すなわち、配線器具５０は、図３に示すように、接地極が接続される接地端子部５２ａ、５２ｂを更に備えている。
各接地端子部５２ａ、５２ｂの端子Ｔ３は、図４Ａに示すように、それぞれ金属枠２２ａ、２２ｂに接続されている。
なお、電気機器の電源プラグの接地極が挿入される端子Ｔ３に代えて、例えば電気機器に接続された接地線の芯線がねじ止めされる接地端子であってもよい。すなわち、電気機器の接地線を接続できる端子であれば任意でよい。
【００２４】
次に、配線器具５０の動作について説明する。
電源供給端子部２０ａ及び接地端子部５２ａに電気機器の３極の電源プラグが接続され、配線器具５０が電源を供給している状態において、何らかの要因により電源プラグの接地極に電流が流れると、この電流は、図４Ｂの矢印で示すように、接地端子部５２ａの端子Ｔ３を通ってサーキットプロテクタ２６のコイル部２６２に流れる。コイル部２６２に電流が流れると、接点２６４が開き、電源が遮断される。
【００２５】
従って、配線器具５０を使用することによって、接地線に接続されなくても、電気機器の電源プラグの接地極に電流が流れた場合に電源を遮断できる。
【００２６】
以上、本考案の実施の形態を説明したが、本考案は、上記した形態に限定されるものでなく、要旨を逸脱しない条件の変更等は全て本考案の適用範囲である。
配線器具は、コンセントに直接取り付けられる、前述の実施の形態に示した配線器具に限定されるものではない。配線器具は、例えば、複数の電源供給端子部が設けられた本体部と、この本体部から延びる電源ケーブルの先端に設けられた差し込みプラグ部と、を備える配線器具（いわゆるテーブルタップやＯＡタップ）であってもよい。
【００２７】
また、配線器具は、電源供給端子部が露出するように壁面に埋め込まれていてもよい。ただし、壁面に埋め込まれて設置される場合は、配線器具は、差し込みプラグ部及び第２の導電体を有していなくてもよい。すなわち、差し込みプラグ部を介することなく、屋内に設けられた配電盤から延びる電源ケーブルを介して端子Ｔ１、Ｔ２に電源が供給されてもよい。
【００２８】
遮断部はサーキットプロテクタに限定されるものではなく、トラッキング現象による電流が流れた際に電源を遮断できるものであれば任意で良い。遮断部の他の例として、電磁リレーが挙げられる。
操作部は、接点の開閉状態に連動するものであれば、操作ハンドルに限定されるものではなく、任意のスイッチであってもよい。
電源は１００Ｖの単相交流電源に限定されるものではなく、任意でよい。
【符号の説明】
【００２９】
１０：配線器具、１２：コンセント、１４：差し込みプラグ部、１４ａ、１４ｂ：刃、１６：金属枠、２０ａ、２０ｂ：電源供給端子部、２２ａ、２２ｂ：金属枠、２４：ケース、２６：サーキットプロテクタ、２８：突起、５０：配線器具、５２ａ、５２ｂ：接地端子部、Ｔ１、Ｔ２、Ｔ３：端子、２６２：コイル部、２６４：接点、２６６：操作ハンドル
【図１】
0003201062.tif 000003
【図２Ａ】
0003201062.tif 000004
【図２Ｂ】
0003201062.tif 000005
【図３】
0003201062.tif 000006
【図４Ａ】
0003201062.tif 000007
【図４Ｂ】
0003201062.tif 000008